(57)【要約】【課題】本発明はネットワークを介して接続されたホスト機器と印刷装置とを含む印刷システムであり、特に機密情報の漏洩を防止する印刷システム、及び印刷装置を提供するものである。【解決手段】ホスト機器１は印刷データに含まれる特定キーワード、又は該特定キーワードの組み合わせを検出し、該検出結果に基づいて前記印刷データの機密性評価を行い、該評価結果を示す識別標識を前記印刷データと共に記録媒体に印刷する。このような処理を予め印刷物に対して行うことにより、当該印刷物を裏紙として使用する際、機密内容を含む印刷物は裏紙としての使用を排除されるため、機密漏洩を防止できる。【選択図】    図１
2008135802.tif 000002
【特許請求の範囲】
【請求項１】
印刷データに含まれる特定キーワード、又は特定キーワードの組み合わせを検出する検出手段と、
該検出結果に基づいて前記印刷データの機密性評価を行う評価手段と、
該評価結果を示す識別標識を前記印刷データと共に記録媒体に印刷する印刷手段と、
を有することを特徴とする印刷システム。
【請求項２】
前記記録媒体に前記識別標識が存在するとき、前記評価結果に基づいて前記記録媒体を裏紙として使用するか判断し、前記評価結果が所定の閾値以下であるとき、裏紙として使用することを特徴とする請求項１記載の印刷システム。
【請求項３】
記録媒体に記録された画像情報を読み取る読取手段と、
該読み取り結果の画像情報に特定キーワード、又は特定キーワードの組み合わせが含まれているか検出する検出手段と、
該検出結果に基づいて前記画像情報の機密性評価を行う評価手段と、
該評価結果に基づいて、前記画像情報が記録された記録媒体を裏紙として使用するか否か判断する判断手段と、
を有することを特徴とする印刷装置。
【請求項４】
記録媒体の一面に印刷データを印刷する第１の印刷手段と、
該記録媒体の他面に画像情報が記録されているか判断する判断手段と、
前記記録媒体の他面にも画像情報が記録されているとき、該他面が裏面であることを示す表裏識別標識を印刷する第２の印刷手段と、
を有することを特徴とする印刷装置。
【発明の詳細な説明】
【技術分野】
【０００１】
本発明はネットワークを介して接続されたホスト機器と印刷装置とを含む印刷システムであり、特に複数のユーザに対する親展印刷を行う印刷システム、及び印刷装置に関する。
【背景技術】
【０００２】
今日、プリンタ装置や、複写機、複合機（多機能印刷装置・マルチファンクションプリンタ）等において、地球環境負荷の軽減、経費削減の目的から、記録媒体として所謂裏紙の利用が推奨されている。このような裏紙を使用する際の検知手法として、例えば特許文献１が提案されている。
【０００３】
この特許文献１は、重要文書の裏面が誤って使用されることを防止するため、通常の片面印刷では印刷後のシートの裏面は白紙であるが、重要文書の場合において、裏面に所定のパターン画像を印刷し、重要文書の裏面が誤って使用されることを防止する。
【特許文献１】特開２００５−２６９４３２号公報
【発明の開示】
【発明が解決しようとする課題】
【０００４】
しかしながら、特許文献１の発明では、用紙の裏面自体の情報の重要度に十分注意が払われることは少なく、用紙の裏面から個人情報も含めた重要な情報が漏洩されることが多い。
【０００５】
そこで、本発明は上記問題に鑑みてなされたものであり、機密情報の漏洩を防止する印刷システム、及び印刷装置を提供するものである。
【課題を解決するための手段】
【０００６】
上記課題は第１の発明によれば、印刷データに含まれる特定キーワード、又は特定キーワードの組み合わせを検出する検出手段と、該検出結果に基づいて前記印刷データの機密性評価を行う評価手段と、該評価結果を示す識別標識を前記印刷データと共に記録媒体に印刷する印刷手段とを有する印刷システムを提供することによって達成できる。
【０００７】
また、第２の発明によれば、前記記録媒体に前記識別標識が存在するとき、前記評価結果に基づいて前記記録媒体を裏紙として使用するか判断し、前記評価結果が所定の閾値以下であるとき、裏紙として使用する請求項１記載の印刷システムを提供することによって達成できる。
【０００８】
また、上記課題は第３の発明によれば、記録媒体に記録された画像情報を読み取る読取手段と、該読み取り結果の画像情報に特定キーワード、又は特定キーワードの組み合わせが含まれているか検出する検出手段と、該検出結果に基づいて前記画像情報の機密性評価を行う評価手段と、該評価結果に基づいて、前記画像情報が記録された記録媒体を裏紙として使用するか否か判断する判断手段とを有する印刷装置を提供することによって達成できる。
【０００９】
さらに、上記課題は第４の発明によれば、記録媒体に一面に印刷データを印刷する第１の印刷手段と、該記録媒体の他面に画像情報が記録されているか判断する判断手段と、前記記録媒体の他面にも画像情報が記録されているとき、該他面が裏面であることを示す表裏識別標識の印刷を行う第２の印刷手段とを有する印刷装置を提供することによって達成できる。
【発明の効果】
【００１０】
本発明によれば、記録媒体に印刷する印刷データの機密性評価を予め行い、当該記録媒体に識別標識を付することによって、以後当該記録媒体を裏面として使用する際の判断基準となり、機密性の高い記録媒体の情報漏洩を防止するものである。
【発明を実施するための最良の形態】
【００１１】
以下、本発明の実施の形態を図面に基づいて説明する。
（実施形態１）
図２は、本発明の実施形態を説明する印刷システムのシステム構成図である。
【００１２】
同図において、本システムはＬＡＮ（ローカル・エリア・ネットワーク）によって、パーソナルコンピュータ（ＰＣ）等のホスト機器１と、印刷装置２、及び複合機３が接続した構成である。尚、同図において、複合機３は複写機（コピー機）３ａと複合機３ｂを代表して示している。
【００１３】
ホスト機器１は、図３に示すようにＣＰＵ４、記憶部５、表示制御部６、入力制御部７、ＵＳＢ通信制御部８、ＬＡＮ通信制御部９で構成され、記憶部５はＲＯＭ１０、ＲＡＭ１１、ハードディスク（ＨＤＤ）１２で構成されている。また、ＨＤＤ１２には印刷装置ドライバ１３、アプリケーション１４、機密性評価ツール１５の各プログラムが登録されている。
【００１４】
また、表示制御部６にはディスプレイ１７が接続され、入力制御部７にはキーボード１８が接続されている。ＣＰＵ４はＲＯＭ１０に記憶されたプログラムに従って印刷制御を行い、ＲＡＭ１１をワークエリアとして使用する。
【００１５】
入力制御部７にはキーボード１８からキー操作信号が入力し、キー操作信号はＣＰＵ４に供給される。表示制御部６にはＣＰＵ４から表示データが入力し、表示制御部６は表示データに従ってディスプレイ１７に指示された表示を行う。
【００１６】
また、ＵＳＢ通信制御部８はＵＳＢコネクタを使用して、外部のハードディスク等の周辺機器と通信を行い、ＬＡＮ通信制御部９は前述のＬＡＮを介して印刷装置２や複合機３と通信を行う。
【００１７】
また、印刷装置ドライバ１３は、前述の印刷装置２や複合機３に対応する印刷データの変換プログラムを有し、アプリケーション１４は文書データ等を作成する際に使用するプログラムである。
【００１８】
機密性評価ツール１５は印刷実行に際して、印刷内容の機密性を評価するプログラムであり、機密性評価は後述する特定のキーワードやキーワードの組み合わせによって行う。
図１は印刷装置２の構成を示す図であり、ＰＰＲ制御部２０、ＬＡＮ通信制御部２１、記憶装置制御部２２、表示操作制御部２３、表示操作部２４、印刷機構部２５、及び記憶装置部（ＨＤＤ）２６で構成されている。
【００１９】
表示操作制御部２３は、表示操作部２４に設けられたキー等の操作に基づく操作信号をＰＰＲ制御部２０に出力する。また、ＰＰＲ制御部２０から出力された表示データを表示操作部２４に表示する。さらに、記憶装置制御部２２は、記憶装置部（ＨＤＤ）２６へのデータ書き込み、及び記憶装置部（ＨＤＤ）２６に記憶されたデータの読み出し制御を行う。
【００２０】
また、ＬＡＮ通信制御部２１は、印刷装置２をＬＡＮを介して前述のホスト機器１に接続する為のインターフェイスである。
また、印刷機構部２５は、プロセス機構部２８、給紙機構部２９で構成され、ＰＰＲ制御部２０の制御に基づいて印刷処理を行い、印刷結果は前述の不図示の排紙部に出力される。尚、印刷機構部２９は印字ヘッドの他、画像形成部や現像部、転写部等の機構部で構成されている。さらに、給紙機構部２９には読取センサ３０が設けられている。この読取センサ３０は、後述する記録媒体に付された識別標識等を検出する。
【００２１】
一方、図４は複合機３の構成を説明する図である。同図において、複合機３は、スキャナ部３３、ＭＦＰ制御部３４、プリンタ部３５で構成されている。スキャナ部３３は読取機構部３３ａを有し、読取機構部３３ａの駆動により原稿台に載置された原稿画像が読み取られ、ＭＦＰ制御部３４に原稿データが送信される。
【００２２】
ＭＦＰ制御部３４は、ＭＦＰメイン部３６、読取機構制御部３７、表示操作制御部３８、ＦＡＸ通信制御部３９、ＬＡＮ通信制御部４０、インターネット通信制御部４１、記憶装置制御部４２、及び記憶装置部（ＨＤＤ）４３で構成されている。
【００２３】
読取機構制御部３７は前述のスキャナ部３３に設けられた読取機構部３３ａの機構制御を行い、スキャナ部３３で読み取られた原稿データはＭＦＰ制御部３４に送られる。
表示操作制御部３８は、表示操作部４５に設けられたキー等の操作に基づく操作信号をＭＦＰメイン部３６に出力する。また、ＭＦＰメイン部３６から出力される表示データを表示操作部４５に表示する。さらに、記憶装置制御部４２は、記憶装置部（ＨＤＤ）４３へのデータ書き込み、及び記憶装置部（ＨＤＤ）４３に記憶されたデータの読み出し制御を行う。
【００２４】
また、ＬＡＮ通信制御部４０は、本例で使用する複合機３をＬＡＮに接続するためのインターフェイスであり、ＦＡＸ通信制御部３９は、ファクシミリデータをＭＦＰメイン部３６に供給する。
【００２５】
一方、プリンタ部３５はＰＰＲ制御部４６、及び印刷機構部４７で構成され、ＰＰＲ制御部４６の制御処理に基づいて印刷処理を行い、印刷結果は不図示の排紙部に出力される。また、印刷機構部４７は、プロセス機構部４８、給紙機構部４９で構成され、ＰＰＲ制御部４７の制御に基づいて印刷処理を行い、印刷結果は前述の不図示の排紙部に出力する。さらに、給紙機構部４９には読取センサ５０が設けられ、前述の読取センサ３０と同様、後述する記録媒体に付された識別標識等を検出する。
【００２６】
以上の構成において、以下の本例の処理動作を説明する。
図５乃至図８は、本例の処理を説明するフローチャートである。先ず、図５において、ホスト機器１はアプリケーション１４を使用して印刷データを生成する（ステップ（以下、Ｓで示す）１）。次に、機密性評価ツール１５を起動し（Ｓ２）、作成した印刷データの機密性評価を行う（Ｓ３）。
【００２７】
図６は機密性の評価処理を具体的に説明するフローチャートである。先ず、予め設定した特定キーワードである登録キーワードの出現回数を監視する（Ｓ３−１）。例えば、図９に示すテーブルは登録キーワードの一例を示すものであり、機密文書に使用される可能性の高い文字列が登録されている。例えば、「機密」、「顧客名簿」、「重要」、「与信情報」等のキーワードであり、作成した印刷データ内にこれらの文字列が出現するか監視する。そして、登録したキーワードが出現するとき「１」を設定し、出現しなければ「０」を設定する。
【００２８】
次に、上記キーワードの組み合わせの出現回数を監視する（Ｓ３−２）。例えば、図１０に示すテーブルは登録キーワードの組み合わせ例を示すものであり、作成した印刷データに使用されるこれらのキーワードの組み合わせの出現回数を監視する。尚、例えば、図１０に登録されたキーワードの組み合わせが存在する時「１」を設定し、組み合わせが存在しなければ「０」を設定する。
【００２９】
次に、「住所」や、「氏名」、「電話番号」等の個人情報が含まれているか判断する（Ｓ３−３）。例えば、図１１に示すテーブルは、この一例である。この場合も、個人情報が存在する時「１」を設定し、存在しなければ「０」を設定する。
【００３０】
次に、ユーザが任意に設定したキーワードが存在するか判断する（Ｓ３−４）。そして、このようなキーワードが存在する時「１」を設定し、存在しなければ「０」を設定する。
【００３１】
次に、上記処理によって各監視項目について出現回数を計数し、この計数結果に基づいて機密性評価値（Ｐ）を集計する（Ｓ３−５）。尚、この機密性評価値は、裏紙使用が頁単位で行われるため、頁単位で集計する。また、上記機密性評価ツール１５による集計結果（例えば、機密性評価値（Ｐ＝Ｎ））は、印刷装置ドライバ１３に送信される。
【００３２】
次に、アプリケーション１４からの印刷指示により（Ｓ５）、印刷データには印刷装置ドライバ１３によって識別標識に関する設定が行われる（Ｓ６）。この処理を具体的に説明するフローチャートが図７である。
【００３３】
先ず、識別標識に関するコードの種類を選択する（Ｓ６−１）。ここで、コードの種類として、普通に判読できる文字列でもよく、またバーコードや２次元コード等に符号化した構成でもよい。
【００３４】
次に、識別標識を不可視化するか判断する（Ｓ６−２）。例えば、ステルス性のインクを使用し、識別標識を不可視化するか判断する。ここで、識別標識を不可視化しない場合（Ｓ６−３がＮo）、識別標識のサイズ、ロケーション情報の設定処理に移行する（Ｓ６−４）。一方、識別標識を不可視化する場合（Ｓ６−２がＹes）、例えば磁性体インクや紫外線反応インク等のステルス性インクの選択を行う（Ｓ６−３）。
【００３５】
次に、識別標識のサイズ、及びロケーション情報の設定処理を行う（Ｓ６−４）。この処理は、例えば識別標識の縦横サイズを設定し、識別標識の印字位置を設定する。尚、図１２に示す例は、印刷文書に識別標識を印刷した例を示す。また、同図に示す例は、識別標識を不可視化しない例である。
【００３６】
次に、設定した識別標識を印刷データに付加する（Ｓ７）。そして、ＬＡＮを介して識別標識が付加された印刷データを印刷装置２に転送する（Ｓ８）。
次に、印刷装置２では供給された印刷データに基づいて印刷処理を実行し、給紙機構部２９から供給された用紙に上記設定が行われた識別標識を含む印刷データの印刷処理を行う。この印刷処理は、プロセス機構部２８の機構制御に従って実行され、識別標識が付加された印刷結果が出力される。
【００３７】
次に、上記処理によって作成された印刷結果である印刷物を裏紙として使用する場合について説明する。尚、使用する装置は印刷装置２でもよく、複合機３を使用してもよい。
図８は裏紙使用の処理を示すフローチャートである。
【００３８】
例えば、複合機３の給紙機構部４９に裏紙を装填する（ステップ（以下、ＳＴで示す）１）。次に、表示操作部４５の不図示の印刷ボタンを押下し、印刷処理を開始する（ＳＴ２）。
【００３９】
この場合、前述の識別標識が印刷された裏紙は、給紙機構部４９に装填され、読取センサ５０によって印刷データ（画像データ）の読み取り処理が行われる。この時、裏紙に記録された識別標識も読み取られる（ＳＴ３）。
【００４０】
この時、具体的には前述のバーコードや２次元コード等の識別標識が読み取られ、識別標識の判定処理を行う（ＳＴ４）。ここで、例えば識別標識が前述のステルス性のインクであれば、磁性体センサや紫外線照射による識別が行われる。
【００４１】
次に、判定結果がＯＫであるか否か判断する（ＳＴ５）。この判断は、例えば前述の機密性評価値Ｐに対して予め閾値を設定し、機密性評価値Ｐがこの閾値を越えるか否かによって判断する。ここで、例えば機密性評価値Ｐがこの閾値を越えず、判定結果がＯＫであれば（ＳＴ５がＹes）、当該用紙を裏紙として使用する（ＳＴ９）。
【００４２】
一方、機密性評価値Ｐがこの閾値を越え、判定結果がＯＫでなければ（ＳＴ５がＮo）、更に機密情報として隠蔽処理を実行するか判断する（ＳＴ６）。ここで、機密情報として隠蔽処理を実施する場合には、例えば裏面前面をフォントと同じ色で塗り潰す（ＳＴ６がＹes、ＳＴ７）。尚、この場合、再生可能インク等を使用して裏面を塗り潰す構成としてもよい。このように構成することにより、必要に迫られた場合において、塗り潰し部分を再生することができる。
【００４３】
一方、機密情報として重要であり、隠蔽処理を施さないのであれば用紙除去処理を行う（ＳＴ６がＹes、ＳＴ８）。例えば、機密情報として重要であり、隠蔽箇所が多く、如何なる場合にも機密にすべき場合である。
【００４４】
したがって、上記判定結果に従って、裏面使用可能な用紙（記録媒体）が選択され、例えば機密性に問題が無く選択された用紙、及び機密部分に隠蔽処理が施された用紙が裏紙として取得される。すなわち、用紙に印刷する印刷データの機密性評価を予め行い、当該用紙に識別標識を付することによって、以後当該用紙を裏紙として使用する際、的確に機密性の高い用紙を排除して使用することができる。
【００４５】
（実施形態２）
次に、本発明の実施形態２について説明する。
図１３は、本例の処理を説明するフローチャートである。尚、本例の処理は、前述の図１に示す印刷装置２、又は複合機３の何れを使用してもよく、印刷装置２及び複合機３の構成は前述の通りである。
【００４６】
前述と同様、先ず複合機３の給紙機構部４９に裏紙を装填する（ステップ（以下、ＳＴＰで示す）１）。次に、印刷処理を開始し（ＳＴＰ２）、読取センサ５０によって裏紙に既に印刷済みの画像情報を取得する（ＳＴＰ３）。
【００４７】
この画像情報はイメージデータとして取得され、画像情報に対する評価処理が行われる（ＳＴＰ４）。この処理は、前述の識別標識に対する評価処理と同様であり、機密性評価値（Ｐ）を取得する。但し、本例では前述のような識別標識が存在しないため、前述の識別標識を設定する際に行った機密性の評価を画像情報に対して実行する。
【００４８】
すなわち、前述のように予め設定した特定キーワードの出現回数やキーワードの組み合わせを監視し、また個人情報や任意に設定したキーワードの存在を監視し、各監視項目について出現回数を計数し、この計数結果に基づいて機密性評価値（Ｐ）を取得する。
【００４９】
次に、上記機密性評価に基づいて、判定結果がＯＫであるか否か判断する（ＳＴＰ５）。この判断も、前述のように機密性評価値Ｐに対して閾値を設定し、機密性評価値Ｐがこの閾値を越えるか否かによって判断する。そして、機密性評価値Ｐがこの閾値を越えず、判定結果がＯＫであれば（ＳＴＰＴ５がＹes）、当該用紙を裏紙として使用する（ＳＴＰ９）。一方、機密性評価値Ｐがこの閾値を越えず、判定結果がＯＫでなければ（ＳＴＰ５がＮo）、更に機密情報として隠蔽処理を実行するか判断する（ＳＴＰ６）。そして、機密情報として隠蔽処理を実施する場合には、例えば検出したキーワードの部分、又はキーワードを含むパラグラフをフォントと同じ色で塗り潰す（ＳＴＰ６がＹes、ＳＴＰ７）。
【００５０】
例えば、図１４に示す例は、登録されたキーワードを含むパラグラフをフォントと同じ色で塗り潰した場合を示す。尚、機密情報として重要であり、隠蔽処理を施さないのであれば用紙除去処理を行う（ＳＴＰ６がＹes、ＳＴＰ８）。
【００５１】
したがって、上記判定結果に従って、裏面使用可能な用紙（記録媒体）が選択され、例えば機密性に問題が無く選択された用紙、及び機密部分に隠蔽処理が施された用紙が裏紙として取得される（ＳＴＰ９）。具体的には、裏紙として使用できる場合、給紙機構部４９から用紙を複合機３内に搬入し、印刷処理を行う。一方、除去処理である用紙は、そのまま除去してもよく、又は除去紙専用のトレイを設け、当該トレイに排出する構成としてもよい。更に、この除去紙専用トレイに排出された用紙は、裏面利用不可と判定された用紙であることから、再度誤って利用されないように、除去紙専用トレイに鍵機構を設けるなどの方法で管理者以外が取り出せない封止構造にする、或いは、直接シュレッダー機構に搬入する構造などを設けることが望ましい。
【００５２】
以上のように、本例によれば、裏紙を使用して印刷を行おうとする場合、当該用紙の裏面の画像情報を読み取り、機密性評価を行い、当該用紙を裏紙として使用できるか判断するので、機密性の高い用紙に印刷処理が行われ、外部に持ち出されることがない。
【００５３】
（実施形態３）
次に、本発明の実施形態３について説明する。
図１５は、本例の処理を説明するフローチャートである。尚、本例の処理は、前述の図１に示す印刷装置２、又は複合機３の何れを使用してもよく、印刷装置２及び複合機３の構成は前述の通りである。
【００５４】
先ず、アプリケーションによって生成され（ステップ（以下、Ｗで示す）１）、一旦印刷処理が行われた印刷物を給紙機構部４９に装填する。次に、アプリケーションの指示に従って、印刷処理を開始し（Ｗ２、Ｗ３）、読取センサ５０によって用紙の裏面の状態を知る。
【００５５】
次に、用紙の表面への印刷処理を実行し、裏面には表裏識別標識を印刷する（Ｗ４）。図１６は、表裏識別標識の一例であり、裏面全体に×印の印刷と、裏面の文字を印刷している。その後、印刷結果を出力する（Ｗ５）。
【００５６】
このように処理することにより、当該印刷物には裏面を示す表裏識別標識が必ず印刷され、以後当該印刷物を利用する際、誤って裏面を表面と判断することを防止することができる。
【００５７】
尚、上記実施形態１乃至３の説明では複合機３の例で説明したが、勿論印刷装置２を使用して上記各実施形態を実現する構成としてもよい。
【図面の簡単な説明】
【００５８】
【図１】印刷装置の構成を示す図である。
【図２】本実施形態の印刷システムのシステム構成図である。
【図３】ホスト機器の構成を示す図である。
【図４】複合機の構成を示す図である。
【図５】実施形態１の処理動作を説明するフローチャートである。
【図６】実施形態１の処理動作を説明するフローチャートである。
【図７】実施形態１の処理動作を説明するフローチャートである。
【図８】実施形態１の処理動作を説明するフローチャートである。
【図９】登録キーワードの一例を示す図である。
【図１０】登録キーワードの組み合わせの一例を示す図である。
【図１１】個人情報のテーブル例である。
【図１２】識別標識を印刷した例を示す図である。
【図１３】実施形態２の処理を説明するフローチャートである。
【図１４】実施形態２の処理例を示す図である。
【図１５】実施形態３の処理を説明するフローチャートである。
【図１６】実施形態３の処理例を示す図である。
【符号の説明】
【００５９】
１・・・ホスト機器
２・・・印刷装置
３・・・複合機
４・・・ＣＰＵ
５・・・記憶部
６・・・表示制御部
７・・・入力制御部
８・・・ＵＳＢ通信制御部
９・・・ＬＡＮ通信制御部
１０・・ＲＯＭ
１１・・ＲＡＭ
１３・・ハードディスク（ＨＤＤ）
１４・・アプリケーション
１５・・機密性評価ツール
１７・・ディスプレイ
１８・・キーボード
２０・・ＰＰＲ制御部
２１・・ＬＡＮ通信制御部
２２・・記憶装置制御部
２３・・表示操作制御部
２４・・表示操作部
２５・・印刷機構部
２６・・記憶装置部（ＨＤＤ）
２８・・プロセス機構部
２９・・給紙機構部
３０・・読取センサ
３３・・スキャナ部
３４・・ＭＦＰ制御部
３５・・プリンタ部
３６・・ＭＦＰメイン部
３７・・読取機構制御部
３８・・表示操作制御部
３９・・ＦＡＸ通信制御部
４０・・ＬＡＮ通信制御部
４１・・インターネット通信制御部
４２・・記憶装置制御部
４３・・記憶装置部（ＨＤＤ）
４５・・表示操作部
４６・・ＰＰＲ制御部
４７・・印刷機構部
４８・・プロセス機構部
４９・・給紙機構部
５０・・読取センサ
【図１】
2008135802.tif 000003
【図２】
2008135802.tif 000004
【図３】
2008135802.tif 000005
【図４】
2008135802.tif 000006
【図５】
2008135802.tif 000007
【図６】
2008135802.tif 000008
【図７】
2008135802.tif 000009
【図８】
2008135802.tif 000010
【図９】
2008135802.tif 000011
【図１０】
2008135802.tif 000012
【図１１】
2008135802.tif 000013
【図１３】
2008135802.tif 000014
【図１５】
2008135802.tif 000015
【図１２】
2008135802.tif 000016
【図１４】
2008135802.tif 000017
【図１６】
2008135802.tif 000018